(57)【要約】【課題】留付金具等の腐食が十分に防止される外装材の留付金具及び留付構造を提供する。【解決手段】留付金具１のベース部２に１個のビス孔１２が設けられ、低所５の左右両サイド部分にそれぞれビス孔１２が設けられている。ベース部２のビス孔１２の周囲は、裏側に向って凹陥した低所１３となっている。低所５のうち各ビス孔１２の左右両側部分にそれぞれ上下方向に延在する凸条１８が設けられ、この凸条１８の裏側が上下方向に延在した凹条１８ｒとなっている。雨の吹き込みなどによって水が留付金具１と壁面Ｗとの間に水が入り込んでも、凹所７ｒ及び凹条１８ｒを介して水が凹所２ｒ内に流下し、さらに低凹所２ｒから留付金具１の下方に流れ落ちる。このため、留付金具１と壁面Ｗとの間の乾燥が促進され、留付金具１や壁面Ｗの腐食が防止される。【選択図】図１
2006257719.tif 000002
【特許請求の範囲】
【請求項１】
ビス又は釘の挿通用の孔と、外装材の支持部とを有し、該孔を通して壁面にビス又は釘が打ち込まれることにより壁面に留め付けられる留付金具であって、
該孔は、該留付金具が壁面に留め付けられた留付状態において該壁面に当接する平板状部に設けられており、且つ各孔は該留付状態において左右方向に配列されている外装材の留付金具において、
該留付金具の裏面のうち各孔の左右両側部分に、凹条が設けられていることを特徴とする外装材の留付金具。
【請求項２】
請求項１において、該留付金具の裏面のうち、該留付状態において該孔の上側部分に、左右方向に延在した凹所が設けられていることを特徴とする外装材の留付金具。
【請求項３】
外装材の留付金具が壁面にビス又は釘によって留め付けられ、
該留付金具によって外装材が該壁面に留め付けられている外装材の留付構造において、
該留付金具が請求項１又は２に記載の留付金具であることを特徴とする外装材の留付構造。
【請求項４】
ビス又は釘の挿通用の孔と、外装材の支持部とを有してなる留付金具がビス又は釘によって壁面に留め付けられ、
該留付金具によって外装材が該壁面に留め付けられている外装材の留付構造において、
該留付金具の前記孔の周縁部が該壁面から前方に離隔していることを特徴とする外装材の留付構造。
【発明の詳細な説明】
【技術分野】
【０００１】
本発明は、ビス又は釘によって壁面に留め付けられて外装材を支持する外装材の留付金具と、この留付金具を用いた外装材の留付構造とに係り、特に留付金具等の腐食を防止するようにした外装材の留付金具及び留付構造に関する。
【背景技術】
【０００２】
住宅等の外壁を構築するに際し、壁面（例えば胴縁や柱など）に留付金具をビス又は釘で留め付け、パネル状の外装材を該留付金具を介して壁面に留め付けることは周知である（例えば実開平５−８３０号）。第４図の通り、同号公報には、複数のビス孔４７と、外装材支持用のＬ形片４４，４５とを備えてなる平板状の留付金具４１が記載されている。また同号公報には、この留付金具４１の左右両側縁に沿ってリブ４３を前面側へ隆起させるように延設し、このリブ４３の背面と壁面との間に、上下方向に延在する通気間隙を形成することが記載されている。
【特許文献１】実開平５−８３０号公報
【発明の開示】
【発明が解決しようとする課題】
【０００３】
上記実開平５−８３０号のように平板状の留付金具を壁面にビス留めした場合、ビス孔４７の周囲の平面状部分４２の全体が壁面に押し付けられる。そのため、雨の吹き込み等により水が留付金具４１と壁面との間に入り込んだ場合、この水が長期にわたって留付金具４１の裏側に滞留して留付金具４１や壁面を湿潤させ、該留付金具４１や壁面に腐食が生じ易くなる。
【０００４】
なお、第４図のリブ４３の背面には通気間隙が形成されるが、平面状部分４２の上記湿潤は解消されない。
【０００５】
本発明は、上記従来の問題点を解決し、留付金具等の腐食が十分に防止される外装材の留付金具及び留付構造を提供することを目的とする。
【課題を解決するための手段】
【０００６】
請求項１の外装材の留付金具は、ビス又は釘の挿通用の孔と、外装材の支持部とを有し、該孔を通して壁面にビス又は釘が打ち込まれることにより壁面に留め付けられる留付金具であって、該孔は、該留付金具が壁面に留め付けられた留付状態において該壁面に当接する平板状部に設けられており、且つ各孔は該留付状態において左右方向に配列されている外装材の留付金具において、該留付金具の裏面のうち各孔の左右両側部分に、凹条が設けられていることを特徴とするものである。
【０００７】
請求項２の外装材の留付金具は、請求項１において、該留付金具の裏面のうち、該留付状態において該孔の上側部分に、左右方向に延在した凹所が設けられていることを特徴とするものである。
【０００８】
請求項３の外装材の留付構造は、外装材の留付金具が壁面にビス又は釘によって留め付けられ、該留付金具によって外装材が該壁面に留め付けられている外装材の留付構造において、該留付金具が請求項１又は２に記載の留付金具であることを特徴とするものである。
【０００９】
請求項４の外装材の留付構造は、ビス又は釘の挿通用の孔と、外装材の支持部とを有してなる留付金具がビス又は釘によって壁面に留め付けられ、該留付金具によって外装材が該壁面に留め付けられている外装材の留付構造において、該留付金具の前記孔の周縁部が該壁面から前方に離隔していることを特徴とするものである。
【発明の効果】
【００１０】
請求項１〜３の外装材の留付金具及び留付構造にあっては、ビス又は釘挿通用の複数の孔の左右両側にそれぞれ水を流下させるための凹条が設けられているため、留付金具と壁面との間に入り込んだ水が該凹条を通って速やかに流れ落ちる。そのため、留付金具と壁面との間の乾燥が促進され、留付金具や壁面の腐食が防止される。
【００１１】
この留付金具の裏面のうち、これらの孔の上側部分に、左右方向に延在した凹所を設けておくと、水は該凹所を経由して各凹条に速やかに流れ込んで流下するようになり、留付金具と壁面との間の乾燥がさらに促進される。
【００１２】
請求項４の外装材の留付構造にあっては、ビス又は釘の挿通用の孔の周縁部が壁面から離隔しているため、この孔の周囲において、留付金具及び壁面の乾燥が促進される。
【発明を実施するための最良の形態】
【００１３】
以下、図面を参照して実施の形態について詳細に説明する。
【００１４】
第１図は請求項１〜３の発明の実施の形態に係る留付金具の斜視図、第２図及び第３図はそれぞれ第１図のII−II線及びIII−III線断面図である。この留付金具１は、建築躯体の柱や縦胴縁などにビスによって取り付けられるものであり、この留付金具１によって壁材としてのサイディング２０が壁面に支持・取り付けされる。
【００１５】
この留付金具１は、略々長方形状のベース部２を有する。サイディング２０を係止するために、このベース部２から上向きＬ字形の支承片３，３と下向きＬ字形の支承片４とが前面側へ切り起こすことにより設けられている。ベース部２の上辺に沿って裏側へ後退した低所５が左端から右端まで連続して延設され、この低所５の上辺に沿って、留付金具１の左端から右端にまで延在するように、リブ部７が前方へ屈曲突設されている。このリブ部７の上側においては、留付金具１の上辺に沿って、裏側へ後退した低所８が、留付金具１の左端から右端にまで延在するように左右方向に延設されている。
【００１６】
ベース部２の左右側辺からは後方へ起立片９が折り立てられており、下辺からは後方へ起立片１０が折り立てられている。ベース部２の下部の左側及び右側には、舌片状の延出片１１が設けられている。この延出片１１の先端は前方に向って折り立てられた爪部１１ａとなっている。
【００１７】
上記ベース部２の中央部付近において、低所５の下側部分に１個のビス孔１２が設けられている。また、低所５の左右両サイド部分にそれぞれビス孔１２が設けられている。ベース部２の該中央部付近のビス孔１２の周囲は、裏側に向って凹陥した低所１３となっている。この低所１３の裏面と、低所５及び前記低所８の裏面と、起立片９，１０の先端面とは、いずれも面一となっている。符号１４は釘孔を示す。
【００１８】
この実施の形態では、低所５のうち各ビス孔１２の左右両側部分にそれぞれ上下方向に延在する凸条１８が設けられ、この凸条１８の裏側が上下方向に延在した凹条１８ｒ（第２図、第３図）となっている。
【００１９】
前記リブ部７の裏側は、留付金具１の左端から右端にまで延在した凹所７ｒ（第３図）となっている。また、前記ベース部２は、起立片９，１０の起立高さ分だけ壁面Ｗから前方に離隔しており、ベース部２の裏側は凹所２ｒ（第３図）となっている。前記凹条１８ｒは、第３図の通り、この凹所７ｒ，２ｒ同士を連結している。
【００２０】
この留付金具１は、亜鉛、アルミニウム及びマグネシウムを含む合金でめっきされた鋼よりなり、且つカチオン塗装膜によって全面が被覆されている。
【００２１】
亜鉛・アルミニウム・マグネシウム合金めっきとしては、アルミニウム４〜１０重量％、マグネシウム１〜５重量％、残部亜鉛（必要に応じ、さらにケイ素を含む）の組成が好適であり、最も好適なものはＺｎ−Ａｌ（６）−Ｍｇ（３）なる組成のめっきである。
【００２２】
上記のカチオン塗装膜としてはエポキシ系、アクリル系などのカチオン塗装膜が好適である。カチオン塗装膜の厚みは５〜５０μｍ特に１０〜３０μｍ程度が好適である。このカチオン塗装膜は、導電性のある水溶性塗料を入れたタンクに留付金具と電極を浸漬し、該電極に正、該留付金具に負の電圧を印加し、塗料を電気的に塗着させた後、硬化させる電着塗装により形成される。
【００２３】
この留付金具１は、背面を壁面Ｗ（例えば柱や胴縁）に当て、ビス孔１２を通してビス打ちするか、又は釘孔１４を通して釘打ちすることにより柱や胴縁に留め付けられる。
【００２４】
この留付金具１によってサイディング２０を柱や胴縁に取り付けるには、サイディング２０の下端に設けられた雌実２１を支承片３に載せ、この際、スリット２２を支承片３の上向き部分と嵌合させる。また、サイディング２０の上端に形成された雄実２３を支承片４の裏側とベース部２との間に差し込む。
【００２５】
このようにサイディング２０を該留付金具１によって留め付けてなる外壁にあっては、雨の吹き込みなどによって水が留付金具１と壁面Ｗとの間に水が入り込んでも、凹条１８ｒを設けているので、凹所７ｒ及び凹条１８ｒを介して水が凹所２ｒ内に流下し、さらに該凹所２ｒから留付金具１の下方に流れ落ちる。このため、留付金具１と壁面Ｗとの間の乾燥が促進され、留付金具１や壁面Ｗの腐食が防止される。特に、この実施の形態にあっては、留付金具１の上部に、左端から右端にまで延在する凹所７ｒが設けられているので、低所５の裏側に入り込んだ水が凹所７ｒを介して凹条１８ｒに集合して下方へ流れるようになり、留付金具１の裏側の乾燥が一段と促進される。
【００２６】
第５図〜第７図を参照して請求項４の発明の実施の形態に係る留付金具１Ａについて説明する。第５図はこの留付金具１Ａの斜視図、第６図及び第７図は第６図のVI−VI線、VII−VII線断面図である。
【００２７】
この留付金具１Ａでは、低所５に設けられた各ビス孔１２の周囲部分が、留付金具１Ａを壁面Ｗに当接させた状態で該壁面Ｗから所定距離（好ましくは２〜４ｍｍ程度）離隔してスペースＳが形成されるように、低所５よりも前方に浮いた構造の高段部１９となっている。
【００２８】
また、ベース部２に設けられた低所１３は、前記第１図〜第３図の留付金具１の低所１３よりも若干浅いものとなっており、この低所１３の裏面も、留付金具１Ａを壁面Ｗに当接させた状態で該壁面Ｗとの間にスペースが形成されるよう構成されている。
【００２９】
なお、この低所１３の裏側のスペース厚さも２〜４ｍｍ程度であることが望ましい。
【００３０】
なお、図示の通り、高段部１９及び低所１３は、ベース部２の前面よりも後退している。これは、ビス孔１２の縁部を壁面Ｗにある程度近接させ、ビスによる留付金具１の留付強度を高めるためである。
【００３１】
この留付金具１Ａのその他の構成は前記留付金具１と同一であり、同一符号は同一部分を示している。
【００３２】
この留付金具１Ａを用いてサイディング２０を壁面Ｗに留め付けた場合においても、留付金具１Ａの裏側に入り込んだ水が凹所７ｒ、スペースＳ及び凹所２ｒを介して留付金具１Ａの下方へ流下するので、留付金具１Ａの裏側の乾燥が促進され、留付金具１Ａや壁面Ｗの腐食が防止される。
【００３３】
この留付金具１，１Ａは、全面がカチオン塗装膜によって被覆されているため、柱や胴縁が銅系の防腐・防蟻剤で処理されていても電蝕を受けることがない。因みに、留付金具１がカチオン塗装膜で被覆されていないと、柱や胴縁に直に強く押し付けられるビス孔１２の周囲及び５，８，１３の低所が電蝕を受け易いが、カチオン塗装膜によりこの電蝕が十分に防止される。また、留付金具１Ａにあっては、ビス孔１２の周囲がスペースＳ分だけ壁面Ｗから離隔し、壁面Ｗと直接には接触しないので、ビス孔１２の周囲部分の電蝕が確実に防止される。
【００３４】
この留付金具１，１Ａにあっては、壁面Ｗと直接に当接する部分の面積の合計が留付金具１，１Ａの正面投影面積の１０〜３０％であることが好ましい。この割合が１０％よりも小さいと留付金具の留め付け安定性が低下するおそれがある。また、３０％超の場合、留付金具裏側の乾燥がやや不十分になるおそれがある。
【００３５】
なお、カチオン塗装膜は留付金具のうち柱や胴縁と接する部分にのみ施されてもよい。また、カチオン塗装膜以外の有機質絶縁層が設けられてもよい。この有機質絶縁層が撥水性を有すると、金属の腐食防止効果が高いものとなる。本発明の留付金具は、窯業系サイディング、金属系サイディングなどのサイディングの他、タイル・レンガなどの取り付けにも用いることができる。
【図面の簡単な説明】
【００３６】
【図１】実施の形態に係る留付金具の斜視図である。
【図２】図１のII−II線断面図である。
【図３】図１のIII−III線断面図である。
【図４】従来の外装材の留付金具の斜視図である。
【図５】別の実施の形態に係る外装材の留付金具の斜視図である。
【図６】図５のVI−VI線断面図である。
【図７】図５のVII−VII線断面図である。
【符号の説明】
【００３７】
１，１Ａ  留付金具
２  ベース部
３，４  支承片
５，８，１３  低所
１２  ビス孔
１４  釘孔
２０  サイディング
【図１】
2006257719.tif 000003
【図２】
2006257719.tif 000004
【図３】
2006257719.tif 000005
【図４】
2006257719.tif 000006
【図５】
2006257719.tif 000007
【図６】
2006257719.tif 000008
【図７】
2006257719.tif 000009